(57)【要約】    【課題】  組み立てや分解が容易で、保管・運搬に優れ、かつ使い勝手のよいスパイキングローラ及びその付属品（ローラ、スパイクピン）を提供する。    【解決手段】  外筒１０ａと、この外筒１０ａと同軸の内筒１０ｂと、が一体形成されたローラ１００を複数個組み合わせたスパイキングローラ１０００であって、外筒の周囲にスパイクピン２００が取り付けられ、外筒及び内筒の中心に支軸棒３００が挿入されることで、複数個のローラ１００が連結固定されていることを特徴とする。【選択図】  図８
2006006159.tif 000002
【特許請求の範囲】
【請求項１】
外筒と、前記外筒と同軸の内筒と、が一体形成されたスパイキングローラ用のローラであって、
前記外筒の周囲に、スパイクピンを取り付け可能な複数のピン孔と、
前記内筒の中心に、支軸棒を挿入可能な貫通孔と、
が設けられていることを特徴とするスパイキングローラ用のローラ。
【請求項２】
前記外筒の内周側で、前記ピン孔の近傍には、頭部を有するスパイクピンの頭部を収容可能な収容部が設けられていることを特徴とする請求項１記載のスパイキングローラ用のローラ。
【請求項３】
外筒と、当該外筒と同軸の内筒と、が一体形成されたスパイキングローラ用のローラであって、
前記内筒の幅は、前記外筒の幅よりも大きく形成され、
前記内筒の両側面に、他のローラを取り付け可能な一対の取付部が設けられていることを特徴とするスパイキングローラ用のローラ。
【請求項４】
前記内筒の中心に設けられた貫通孔の近傍には、他のローラを取り付けた際に、ローラ同士を位置決めして固定するストッパー部が設けられていることを特徴とする請求項１から３のいずれか記載のスパイキングローラ用のローラ。
【請求項５】
ローラと、前記ローラの中心に挿入された支軸棒と、前記ローラの周囲に取り付けられたスパイクピンと、を有するスパイキングローラ。
【請求項６】
ローラを複数個組み合わせたスパイキングローラであって、
前記ローラには、他のローラを取り付けた際に、ローラ同士を位置決めして固定するストッパー部が設けられており、
当該ストッパー部同士を係合したときに、互いに近接するローラの周囲に取り付けられたスパイクピンが、軸方向に対して同じ位置に配設されない態様となることを特徴とするスパイキングローラ。
【請求項７】
表面が平滑状の釘領域と表面が螺旋状のねじ領域とを有する軸部と、前記軸部より大径の頭部と、から形成された請求項１から４のいずれか記載のスパイキングローラ用のローラに取り付けられるスパイクピン。
【発明の詳細な説明】
【技術分野】
【０００１】
本発明は、芝生の手入れの一つであるエアレーションを行う際に主として使用するスパイキングローラ及びその付属品（ローラ、スパイクピン）に関し、組み立てや分解が容易で、保管・運搬に優れ、かつ使い勝手のよいものに関する。
【背景技術】
【０００２】
従来より、芝生の手入れの一つとして、芝生に穴を開けて土をほぐしたり通気をよくしたりするエアレーションが行われている。ここで、エアレーションには、中空の刃を使って土から土中を取り除くコアエアレーションや、中空ではない刃を使って土に穴を開けるスパイキングや、バーティカルモーイングや、パワーレーキングといった方法がある。
【０００３】
このようにエアレーションを行うのは、例えば、踏み固められた土は、酸素等の通気がよくないために芝生の根の成長が阻害されることから、芝生（地面）に穴を開けて土の中に空気を送ることによって、通気性や透水性を促進するためである。
【０００４】
すなわち、エアレーションによって水や他の養分が土の中にしみ込むことができ、新しい根の成長を促進し、青々とした健康な芝生に必要な深い根張りを促進することができる。また、エアレーションには、水の流出やパドリングを削減するという利点もある。これらの全ての要素は芝生の根張りを深くし、芝生の耐暑性や耐乾性を高めることにも繋がる。
【０００５】
エアレーションを行う機械器具として、芝生の穴あけ機が数多く存在するが（例えば、特開２００１−５４３０４、特開２００３−５２２０４）、特に、スパイキングローラに関するものとしては特許文献１が存在する。
【０００６】
特許文献１に記載のものは、ローラの周辺に刃を複数個設置したものであり、簡単に芝生に穴を開けることができる。
【０００７】
【特許文献１】実開平６−１５４１０号公報（図１）
【発明の開示】
【発明が解決しようとする課題】
【０００８】
しかしながら、スパイキングローラで簡単にエアレーションを行ってその労力と手間を省こうとすると、ローラの内部に相当量の重量物を詰めてローラを転がすことが必要であることから、どうしても器具自体が大掛かりなものとなり、保管・運搬が容易ではないという問題点がある。
【０００９】
特に、器具自体が大掛かりなものとなる場合には、その組立や分解に時間がかかることから、そのままの完成品の状態で保管・運搬することが多いため、保管・運搬に不都合であるという問題点がある。
【００１０】
また、特許文献１記載の器具は、刃の並びが一直線であることから、ローラの内部に相当量の重量物を詰めて使用者の腕の力を抑えるか、或いは、ローラの内部の重量物を減らして使用者の腕の力に頼るかというデメリットが伴い、使い勝手の面からも問題点がある。
【００１１】
本発明は、以上の点に鑑みてなされたものであり、その目的は、組み立てや分解が容易で、保管・運搬に優れ、かつ使い勝手のよいスパイキングローラ及びその付属品（ローラ、スパイクピン）を提供することにある。
【課題を解決するための手段】
【００１２】
以上のような課題を解決するために、本発明は、外筒と、この外筒と同軸の内筒と、が一体形成されたローラを複数個組み合わせたスパイキングローラであって、外筒の周囲にスパイクピンが取り付けられ、外筒及び内筒の中心に支軸棒が挿入されていることを特徴とする。
【００１３】
より具体的には、本発明は、以下のものを提供する。
【００１４】
（１）  外筒と、前記外筒と同軸の内筒と、が一体形成されたスパイキングローラ用のローラであって、前記外筒の周囲に、スパイクピンを取り付け可能な複数のピン孔と、前記内筒の中心に、支軸棒を挿入可能な貫通孔と、が設けられていることを特徴とするスパイキングローラ用のローラ。
【００１５】
本発明によれば、スパイキングローラの付属品としてのローラは、その外筒の周囲にスパイクピンを取り付け可能なピン孔が設けられ、その内筒の中心に支持棒が挿入可能な貫通孔が設けられていることから、ローラとスパイクピンと支持棒とを容易に分解可能で、かつ容易に組み立て可能である。
【００１６】
ここで、ピン孔部分の形状に関して特に限定するものではないが、このピン孔部分を平滑状にすることで、従来の螺旋部分を有するピン孔に比べて、単純な構造で安価な靴用装着補助具を提供することができる。すなわち、従来は、スパイクピンを直接ピン孔（穴）に取り付けて固定する構造を採っており、かかるピン孔部分を螺旋状に形成する必要があるが、本発明は、スパイクピンをピン孔のみで固定するものではない構成を採用することによって、螺旋部分を形成するための特別の成型や螺旋部分の特別の部品が必要になることはない。
【００１７】
また、従来のものはねじ機能を利用して螺着するので、この螺旋部分に使用中の負荷がかかることになるが、本発明は、平滑なピン孔部分に使用中の負荷がかかることなく、後述するように、負荷のかかり具合が分散されることから、スパイクピンの取り付け部分に過大な負荷がかかることを防ぐことができる。
【００１８】
（２）  前記外筒の内周側で、前記ピン孔の近傍には、頭部を有するスパイクピンの頭部を収容可能な収容部が設けられていることを特徴とするスパイキングローラ用のローラ。
【００１９】
本発明によれば、スパイキングローラの付属品としてのローラは、頭部を有するスパイクピンの頭部を収容可能な収容部が設けられていることから、外筒の外周面に突出するスパイクピンが頭部によって支えられており、使用時においてスパイクピンを地面等に埋め込むような場合にも、スパイクピンの脱落を防ぐことができる。
【００２０】
（３）  外筒と、当該外筒と同軸の内筒と、が一体形成されたスパイキングローラ用のローラであって、前記内筒の幅は、前記外筒の幅よりも大きく形成され、前記内筒の両側面に、他のローラを取り付け可能な一対の取付部が設けられていることを特徴とするスパイキングローラ用のローラ。
【００２１】
本発明によれば、スパイキングローラの付属品としてのローラは、内筒の幅が外筒の幅よりも大きく形成されていることから、内筒が外筒から凸設されており、しかも、この内筒の両側面に他のローラを取り付け可能な一対の取付部が設けられていることから、取付部同士の係合によって組み立てが容易であり、また、他のローラとの分解も容易である。
【００２２】
（４）  前記内筒の中心に設けられた貫通孔の近傍には、他のローラを取り付けた際に、ローラ同士を位置決めして固定するストッパー部が設けられていることを特徴とするスパイキングローラ用のローラ。
【００２３】
本発明によれば、スパイキングローラの付属品としてのローラは、貫通孔の近傍にストッパー部が設けられていることから、他のローラを取り付けた際に、ローラ同士を位置決めして固定することができ、組み立てや分解後の組み立てに資することとなる。
【００２４】
例えば、同一のピン孔と同一のストッパーを有する同一形状のローラを組み合わせるときに、互いのストッパー部が障壁とならないように組み合わせようとすると、ピン孔の軸方向に対する位置が相対的に異なってくることから、互いに近接するローラの周囲に取り付けられたスパイクピンが、軸方向に対して同じ位置に配設されない態様となるので、従来の刃の並びが一直線である器具に比べて、使用者の腕の力を抑え、使い勝手のいいローラを提供することができる。
【００２５】
（５）  ローラと、前記ローラの中心に挿入された支軸棒と、前記ローラの周囲に取り付けられたスパイクピンと、を有するスパイキングローラ。
【００２６】
本発明によれば、ローラと、ローラの中心に挿入された支軸棒と、ローラの周囲に取り付けられたスパイクピンと、を有するスパイキングローラによって、使い勝手のよいものを提供することができる。
【００２７】
特に、ローラの中心に挿入されて着脱可能な支軸棒は、支持棒の重さが重いほど、穴を開けるときの使用者の負担を軽くすることができる。
【００２８】
（６）  ローラを複数個組み合わせたスパイキングローラであって、前記ローラには、他のローラを取り付けた際に、ローラ同士を位置決めして固定するストッパー部が設けられており、当該ストッパー部同士を係合したときに、互いに近接するローラの周囲に取り付けられたスパイクピンが、軸方向に対して同じ位置に配設されない態様となることを特徴とするスパイキングローラ。
【００２９】
本発明によれば、互いに近接するローラの周囲に取り付けられたスパイクピンが、軸方向に対して同じ位置に配設されない態様となるので、従来の刃の並びが一直線である器具に比べて、使用者の腕の力を抑え、使い勝手のいいローラを提供することができる。
【００３０】
（７）  表面が平滑状の釘領域と表面が螺旋状のねじ領域とを有する軸部と、前記軸部より大径の頭部と、から形成されたスパイキングローラ用のローラに取り付けられるスパイクピン。
【００３１】
本発明によれば、スパイキングローラの付属品としてのスパイクピンは、大径の頭部と、それよりも小径の軸部と、から形成され、このスパイクピンを上記（１）から（４）に記載のスパイキングローラ用のローラの用途に提供することで、使用時においてスパイクピンを地面等に埋め込むような場合にも、スパイクピンの脱落を防いだり、スパイクピンの取り付け部分に過大な負荷がかかることを防いだりすることができる。
【発明の効果】
【００３２】
以上説明したように、本発明は、組み立てや分解が容易に行え、そのために保管・運搬に優れ、かつ、使用者への負担を軽減することが可能な使い勝手のよいスパイキングローラ及びその付属品を提供することができる。
【発明を実施するための最良の形態】
【００３３】
以下、本発明を実施するための最良の形態について、図面に基づいて説明する。
【００３４】
［ローラの構成］
図１は、本発明の実施の形態に係るスパイキングローラ用のローラ１００の構成を示す図であり、図１（ａ）はローラ１００の正面図、図１（ｂ）はローラ１００の背面図、図１（ｃ）はローラ１００の平面図（底面図）である。また、図２は、図１（ｃ）に示す領域Ａの部分拡大図である。
【００３５】
ローラ１００は、外筒１０ａと、外筒と同軸の内筒１０ｂと、が一体形成されており、図１（ｃ）に示すように、内筒１０ｂの幅Ｗiは、前記外筒１０ａの幅ＷOよりも大きく形成されて内筒が外筒の両面から凸設している。
【００３６】
外筒１０ａの周囲には、スパイクピンを取り付け可能な複数のピン孔１６が設けられ、また、外筒１０ａの内周側（外筒１０ａの内周面と内筒１０ｂの外周面との間）で、ピン孔１６の近傍には、頭部を有するスパイクピンの頭部を収容可能な収容部１１が設けられている。さらに、外筒１０ａの内周側には、ローラ１００を軸に対して垂直方向（半径方向）に補強する複数の補強体１５ａが設けられている。この補強体１５ａは、外筒１０ａの内周面と内筒１０ｂの外周面との間に隙間が形成されていることから、ローラ１００の半径方向を補強するために設けられている。
【００３７】
ピン孔１６は、スパイクピンをローラ１００の半径方向に取り付け可能なように設けられている。図２を参照して、空洞を有する収容部１１とピン孔１６は連なっており、ピン孔１６の径は、スパイクピンの軸部の径よりも大きく形成されている。すなわち、かかるピン孔１６によって直接スパイクピンを固定する構造ではないために、使用時においてスパイクピンを地面等から抜き差しする際に生じるスパイクピンのぐらつきによって、ピン孔１６に負荷がかかることを防ぐことができる。かかるピン孔１６は、スパイクピンが挿入できる形状であればいかなるものであっても構わないが、平滑状にする（何の形状もつけない）ことで、ローラの成型が容易である。
【００３８】
また、ピン孔１６近傍の形状を、図１に示す曲面ではなく、図３に示す平面とすることもできる。すなわち、外筒１０ａの外周面を全て曲面とするのではなく、曲面領域ＣCと平面領域Ｃfとで形成し平面領域Ｃfにピン孔１６を設けることで、ピン孔１６にスパイクピンを挿入してナット（締結部材）で取り付けたときに、ナットと外周面との接触面積が大きくなるので、より確実にスパイクピンを取り付けて固定することができるのである。
【００３９】
図１によれば、本発明の実施の形態に係るスパイキングローラ用のローラ１００の外筒１０ａは、左右一対の補強体１５ａと内筒１０ｂの外周面の一部とによって一つの空隙領域を形成し、その領域中央に収容部１１が設けられている。収容部１１はピン孔１６と連なっており、ピン孔１６にスパイクピンを挿入する際に挿入しやすいように、ピン孔１６は多少の余裕をもって径が大きく形成されている。すなわち、スパイクピンをピン孔１６に挿入して、スパイクピンをローラ１００の半径方向に取り付けようとするためには、凸設する内筒が障壁となって、最初にスパイクピンを斜め方向からピン孔１６に挿入する必要があるために、スパイクピンの軸部の径よりも大きくピン孔１６を形成している。
【００４０】
次に、ローラ１００の内筒１０ｂには、その内筒の中心に、支軸棒を挿入可能な貫通孔１２と、その内筒の両側面に、他のローラを取り付け可能な一対の取付部１３，１３'と、ローラ同士を位置決めして固定するストッパー部１４と、ローラ１００を軸に対して垂直方向（半径方向）に補強する複数の補強体１５ｂと、が設けられている。
【００４１】
貫通孔１２は、ローラの軸方向に設けられ、複数のローラ１００を組み合わせてスパイキングローラを構成するときに、複数のローラ１００を連動して回転させるための支持棒を挿入するためのものである。各々のローラが個別に回転して空転したりしないように、貫通孔１２の径は、支持棒の径と略同径であることが好ましい。
【００４２】
取付部は、一側面には凹状の取付部１３'が、もう一側面には凸状の取付部１３が、それぞれ設けられ（図１（ｃ）参照）、凹凸部分を係合することで他のローラとの取り付けが容易になる。
【００４３】
ストッパー部１４は、他のローラを取り付ける際に、ローラ同士を位置決めして固定するためのものである。貫通孔１２の近傍に凹凸領域を形成し、例えば、凸領域１４ａと凹領域１４ｂとでストッパー部１４を形成することで、同一形状のローラ（収容部１１とピン孔１６の相対的位置関係が同一のローラ）を組み合わるときに（図４参照）、凹凸部分を係合することで他のローラとの相対的位置関係が異なるように組み合わされるようになるので、結果として、互いに近接するローラの周囲に取り付けられたスパイクピンが、軸方向に対して同じ位置に配設されない態様となる。このように、ストッパー部１４によって、ローラの組み立て時のスパイクピンの位置関係を決定することができる。
【００４４】
補強体１５ｂは、外筒１０ａの補強体１５ａと同様であるが、補強体１５ａ，１５ｂの位置を半径方向に同位置とすることで、ローラ１００を軸に対して垂直方向（半径方向）に補強する強度が増すこととなる。
【００４５】
以上のように、本発明の実施の形態に係るローラ１００の外筒１０ａは、主にスパイクピンを取り付けるために、ローラ１０の内筒１０ｂは、主に他のローラを取り付けるために、各種の部材が設けられている。
【００４６】
［スパイクピンの構成］
図５は、本発明の実施の形態に係るスパイクピン２００の構成を示す図である。
【００４７】
スパイクピン２００は、頭部２１と、軸部２２と、から形成されており、軸部２２は、表面が平滑状の釘領域２２ｂと表面が螺旋状のねじ領域２２ａとを有する。スパイクピン２００の材質は、アルミ、強化プラスチック、鋼鉄、ステンレス等が挙げられる。
【００４８】
頭部２１は、その径が軸部２２より大径となるように形成されており、例えば頭部が六角形形状を呈する六角ボルトや、頭部が皿型を呈する皿ボルト、その他キャップを有する各種のキャップボルトが挙げられる。
【００４９】
軸部２２は、そのねじ領域２２ａにナット（六角ナット）を螺着することができる。ねじ領域２２ａと釘領域２２ｂとの割合については特に限定するものではないが、敷板１とナットとでスパイクピン２００を取り付けたときに、ねじ領域２２ａがナットの位置から出ないようにすることが好ましい。ねじ領域２２ａがナットの位置から出ていると、地面等にスパイクピンが刺さったときに、ねじ溝の部分に土が付着して、手入れが面倒になるからである。
【００５０】
［スパイキングローラの構成］
図６は、本発明の実施の形態に係るスパイキングローラ１０００の組み立て方法を説明するための図であって、既にスパイクピン２００が取り付けられたローラ１００を複数個取り付ける過程を示している。
【００５１】
ローラ１００へのスパイクピン２００の取り付けは、まず、ローラの外筒１０ａに設けられているピン孔１６にスパイクピン２００を貫入し、頭部２１が収容部１１に収容された状態となる。スパイクピン２００の貫入は、大径の頭部２１の存在から、外筒１０ａの内周側から行うこととなる。なお、フランジ付きナットを頭部として使用する場合には、スパイクピン２００を外筒１０ａの外周側から貫入し、スパイクピンの軸部のねじ領域２２ａの先端にフランジ付きナットを螺着することもできる。
【００５２】
次に、スパイクピンの軸部２２の釘領域２２ｂからねじ領域２２ａに向かって、ナット２０１を貫入し、ねじ領域２２ａにて螺着する。この際、外筒１０ａに取り付けたスパイクピン２００がぐらついたりしないように、頭部２１とナット２０１とで、ピン孔１６近傍を締め付けるように螺着する。なお、締め付けに際して座金を使用することで、強固に締め付けることが可能となる。
【００５３】
このようにして、スパイクピン２００が取り付けられたローラ１００を複数個取り付ける際は、ローラの内筒に設けられた取付部の凹凸形状を考慮して、取付部１３'−１３を係合する。この際、ストッパー部１４の凹凸形状をも考慮して係合する必要がある。
【００５４】
次に、ローラ１００に設けられた貫通孔１２に支持棒３００を挿入する。この支持棒３００によって複数のローラ１００が連結固定される。なお、複数のローラ１００の取付部及びストッパー部を係合した後に支持棒３００を挿入して連結固定する場合のほか、支持棒３００にローラ１００を挿入しつつ複数のローラ１００の取付部及びストッパー部を係合して連結固定する場合など、組み立ての態様は限定されない。
【００５５】
複数のローラ１００が支持棒３００によって連結固定された後、把持部材４０１と柄４０２、柄４０２と連結部材４０３、連結部材４０３と支持棒３００をそれぞれ装着して、スパイキングローラが完成する（図８）。
【００５６】
ここで、支持棒３００は、図７に示すように、支持部３０と両端のネジ部３１とから構成されており、ネジ部３１に連結部材４０３を螺着する。支持棒３００は、スパイキングローラを転がす際に、スパイクピンが地面等に深く突き刺さるようにするために、相当量の重量がある材質で形成されていることがよく、例えば、ステンレス、銅などが挙げられる。なお、支持棒３００の径や長さを大きくすることで重量が増えるが、径を大きくした場合には、それに応じた貫通孔１２を設ける必要がある。
【００５７】
このようにして完成されるスパイキングローラにおいては、実際に地面に穴を開けるスパイキングを行う場合に、地面にスパイクピンが刺さるときには、スパイクピンが地面に反する上方への力が働くことになるが、スパイクピンを取り付けているナット２０１とローラ１００との作用によって、その力が抑制されることとなる。一方で、地面からスパイクピンが抜けるときには、地面がスパイクピンに反する下方への力が働くことになるが、スパイクピンを取り付けている頭部２１とローラ１００との作用によって、その力が抑制されることとなる。すなわち、１箇所に集中する負荷のかかり具合ではなく、本発明によれば負荷のかかり具合が分散されることから、スパイクピンの取付部分に過大な負荷がかかることを防ぐことができる。
【産業上の利用可能性】
【００５８】
本発明は、芝生の手入れの一つであるエアレーションを行う際に主として使用するスパイキングローラ及びその付属品（ローラ、スパイクピン）に関し、組み立てや分解が容易で、保管・運搬に優れ、かつ使い勝手のよいものである。
【図面の簡単な説明】
【００５９】
【図１】本発明の実施の形態に係るスパイキングローラ用のローラの構成を示す図。
【図２】図１（ｃ）に示す領域Ａの部分拡大図。
【図３】本発明の実施の形態に係るスパイキングローラ用のローラの他の構成を示す図。
【図４】ストッパー部の機能を説明するための図。
【図５】本発明の実施の形態に係るスパイクピンの構成を示す図。
【図６】本発明の実施の形態に係るスパイキングローラの組み立て方法を説明するための図。
【図７】本発明の実施の形態に係る支持棒の構成を示す図。
【図８】本発明の実施の形態に係るスパイキングローラの完成図。
【符号の説明】
【００６０】
１０００スパイキングローラ
１００  ローラ
２００  スパイクピン
２０１  ナット
【図１】
2006006159.tif 000003
【図２】
2006006159.tif 000004
【図３】
2006006159.tif 000005
【図４】
2006006159.tif 000006
【図５】
2006006159.tif 000007
【図６】
2006006159.tif 000008
【図７】
2006006159.tif 000009
【図８】
2006006159.tif 000010